(57)【要約】【課題】扉に迅速かつ用意に取付けることができ、ハウジングの正面にネジ等の固定部材が位置することのないドアクローザを提供する。【解決手段】ドアクローザ本体１は、作動油が充填された密閉空間２Ａを有するハウジング２と、密閉空間２Ａに付勢手段１８,１９により付勢された状態で往復移動可能に配置されるピストン１３と、ハウジング２に支持される回転軸３とを備えている。ドアクローザ本体１を扉に取付ける為の取付板３５が扉に固定されている。取付板３５はフック部３６Ｂを有しており、ハウジング２の背面壁５にはフック係合部５Ａが形成されている。取付板３５に対してハウジング２を水平方向に移動することにより、フック部３６Ｂがフック係合部５Ａに係合する。ハウジング２の上面壁６と下面壁７がネジにより取付板３５に固定されている。【選択図】図１
2015108229.tif 000002
【特許請求の範囲】
【請求項１】
作動油が充填された密閉空間を有するハウジングと、該密閉空間に付勢手段により付勢された状態で往復移動可能に配置されるピストンと、該ハウジングに支持される回転軸とを有するドアクローザ本体と、
該ドアクローザ本体を扉に取付ける為に扉に固定される取付板とを備え、
扉の開操作による該回転軸の回転動作を該ピストンの直線動作に変換して該ピストンを該付勢手段に抗して該密閉空間で移動させ、扉から手を離すことにより該ピストンを該付勢手段の付勢力により該密閉空間で移動させ扉を自動的に閉めるように構成されたドアクローザにおいて、
該取付板はフック部を有し、
該ハウジングの背面壁にはフック係合部が形成され、
該ハウジングを扉に固定された該取付板に対して水平方向に移動することにより該フック部が該フック係合部に係合し、
該ハウジングの上面壁と下面壁の少なくとも一方が固定部材により該取付板に固定されていることを特徴とするドアクローザ。
【請求項２】
該ハウジングの上面壁と下面壁と背面壁とにより溝部が画成されており、
該取付板は、該フック部が設けられる基部と、該ハウジングの上面壁に対向する上部壁と、該ハウジングの下面壁に対向する下部壁とを備えていることを特徴とする請求項１に記載のドアクローザ。
【発明の詳細な説明】
【技術分野】
【０００１】
本発明は、開いたドアをゆっくりと自動的に閉めるドアクローザ（ドア自閉装置）の改良に関するものである。
【背景技術】
【０００２】
一般に、ドアクローザは、作動油が充填された密閉空間を有するハウジングを備え、該ハウジングの密閉空間には、コイルスプリングにより付勢されたピストンが往復移動可能に配置されている。また、上記ピストンにはラック・ピニオン機構が組み付けられ、該ラック・ピニオン機構のピニオンには、回転軸が上下ハウジングを貫挿するように連結されている。さらに、この回転軸の上端には、リンク機構の一端が連結され、該リンク機構の他端は建物の扉開口部の上枠側に連結されている。
【０００３】
そして、扉を開操作すると、その回転動作が上記リンク機構を介して回転軸に伝達され、さらに上記ラック・ピニオン機構を介してピストンの直線運動に変換される。これにより、上記ピストンがハウジングの密閉空間を移動することでコイルスプリングを圧縮し、扉から手を離すと、この圧縮されたコイルスプリングの反発力により扉がゆっくりと自動的に閉まるようになっている。この扉の閉速度は、ピストンの移動に連動して流動する作動油の流量を速度調整弁で制御することで調整される。
【０００４】
ところで、この種のドアクローザとして、下記特許文献１には、ハウジングに水平方向に延びる溝状の雌継手部を設け、扉に固定した取付ブラケットの雄継手部にハウジングの雌継手部を嵌め合わせるようにしたドアクローザが開示されている。そして、この特許文献１のドアクローザは、取付ブラケットとハウジングとが相対的に摺動することを阻止するために、ハウジングの正面と背面を貫通する貫通孔にネジを挿通し、取付ブラケットのネジ孔にネジを螺合させている。この構成においては、ハウジングの正面にネジの頭部が位置することになり、ドアクローザの意匠性を良くするためにはハウジングの正面にネジを隠す覆板等を設ける必要が生じるという問題がある。
【先行技術文献】
【特許文献】
【０００５】
【特許文献１】特開昭５２−１５５８４８号公報
【発明の概要】
【発明が解決しようとする課題】
【０００６】
それゆえに本発明は上記従来の問題点に鑑みてなされ、ドアクローザを扉に迅速かつ容易に取付けることができ、ハウジングの正面にネジ等の固定部材が位置することがないドアクローザを提供することを課題とする。
【課題を解決するための手段】
【０００７】
本発明は上記課題を解決すべくなされたものであって、本発明に係るドアクローザは、作動油が充填された密閉空間２Ａを有するハウジング２と、該密閉空間２Ａに付勢手段１７、１８により付勢された状態で往復移動可能に配置されるピストン１３と、該ハウジング２に支持される回転軸３とを有するドアクローザ本体１と、該ドアクローザ本体１を扉１０４に取付ける為に扉に固定される取付板３５とを備え、扉１０４の開操作による該回転軸３の回転動作を該ピストン１３の直線動作に変換して該ピストン１３を該付勢手段１７、１８に抗して該密閉空間２Ａで移動させ、扉１０４から手を離すことにより該ピストン１３を該付勢手段１７、１８の付勢力により該密閉空間２Ａで移動させ扉１０４を自動的に閉めるように構成されたドアクローザにおいて、該取付板３５はフック部３６Ｂを有し、該ハウジング２の背面壁５にはフック係合部５Ａが形成され、該ハウジング２を扉１０４に固定された該取付板３５に対して水平方向に移動することにより該フック部３６Ｂが該フック係合部５Ａに係合し、該ハウジング２の上面壁６と下面壁７の少なくとも一方が固定部材により該取付板３５に固定されていることを特徴とする。
【０００８】
ここで、該ハウジング２の上面壁６と下面壁７と背面壁５とにより溝部１０が画成されており、該取付板３５は、該フック部３６Ｂが設けられる基部３６と、該ハウジングの上面壁６に対向する上部壁３７と、該ハウジング２の下面壁７に対向する下部壁３８とを備えていることが好ましい。
【発明の効果】
【０００９】
本発明に係るドアクローザにあっては、ドアクローザを扉に迅速かつ容易に取付けることができる。また、ハウジングの正面には固定部材が位置しないので、意匠性を損なうことなくドアクローザを扉に取付けることができる。
【図面の簡単な説明】
【００１０】
【図１】本発明の一実施形態におけるドアクローザをドアに取付けた状態の正面図。
【図２】本発明の一実施形態におけるドアクローザを示す縦断面図。
【図３】図１のＡ−Ａ線断面図。
【図４】同ドアクローザの左側面図。
【図５】同ドアクローザの右側面図。
【発明を実施するための形態】
【００１１】
以下、本発明の一実施形態にかかるドアクローザについて図１〜図５を参照しつつ説明する。
【００１２】
図１において、１０１は建物の扉開口部を示し、この扉開口部１０１は、上枠１０２、左右の一対の竪枠１０３及び下枠（図示せず）で矩形に囲まれた空間で構成され、扉１０４が扉開口部１０１を開閉可能にヒンジ（図示せず）を介して一方の竪枠１０３に取り付けられている。この扉１０４は、ドアクローザにより開状態からゆっくり自動的に閉じられるようになっている。
【００１３】
ドアクローザは、ドアクローザ本体１を備えている。ドアクローザ本体１は、ハウジング２と、該ハウジング２に軸支されて上下方向の軸線まわりに回転する回転軸３とを備えている。回転軸３はハウジング２を上下に貫挿しており、回転軸３の上端にはリンク機構１５の一端が相対回転不能に取り付けられる。そして、リンク機構１５の他端は、上枠１０２側に連結されている。
【００１４】
図２に示すように、ハウジング２は全体としては水平方向（横方向）に長い横長の形状であるが、前後方向（紙面奥行き方向）の寸法に対して上下方向（縦方向）の寸法が長い形状となっている。尚、扉１０４の回動中心となるヒンジはドアクローザ本体１に対して向かって左側に位置することになる。
【００１５】
ハウジング２は、正面壁４、背面壁５、上面壁６、下面壁７、左側面壁８及び右側面壁９の６面を備えており、背面壁５側には、背面壁５と上面壁６と下面壁７とによって溝部１０を画成している。
【００１６】
回転軸３はハウジング２の上面壁６と下面壁７を貫くようにして配置されている。回転軸３は、ハウジング２の横方向中央よりも左側に偏って配置されており、回転軸３からドアクローザ本体１の左側の端部までの寸法に対して、回転軸３からドアクローザ本体１の右側の端部までの寸法が長くなっている。回転軸３は、ハウジング２の上面壁６と下面壁７に取り付けられた上キャップ１１と下キャップ１２にそれぞれ軸受けを介して回転可能に支持されている。
【００１７】
ハウジング２の内部は密閉空間２Ａとされており、密閉空間２Ａには作動油（図示せず）が充填されている。密閉空間２Ａにはピストン１３がコイルバネのバネ力により左側に付勢された状態で往復移動可能に配置され、密閉空間２Ａはこのピストン１３が移動することにより第１油室１４と第２油室とに分けられるようになっている。コイルバネは、ピストン１３と右側のエンドプラグ１６との間に配置された大小二つのコイルバネ１７、１８からなり、第１油室１４内に配置されている。大径のコイルバネ１７と小径のコイルバネ１８は互いに同軸上に配置されている。即ち、大径のコイルバネ１７の内側に小径のコイルバネ１８が挿入されている。ハウジング２の右側面壁９には嵌着孔９Ａが形成されており、エンドプラグ１６はこの嵌着孔９Ａに嵌着されることによりハウジング２に取り付けられている。エンドプラグ１６の左側には溝が形成されており、この溝内にＯリング１９とバックアップリング２０が配置されることにより、エンドプラグ１６と嵌着孔９Ａの隙間から作動油が外部に漏れることが防止されている。また、エンドプラグ１６の右側における上下の位置には、図１の前後方向に延びるノックピン２１、２１が嵌入されており、エンドプラグ１６が嵌着孔９Ａから外れることが防止されている。尚、大径のコイルバネ１７と小径のコイルバネ１８は本発明の付勢手段に相当する。
【００１８】
回転軸３の中央部にはピニオンギア２２が設けられている。ピニオンギア２２は、回転軸３とは別部材の構成ではなく、回転軸３と一つの部材を構成するように一体的に加工形成されたものである。ピストン１３は密閉空間２Ａを画成する内壁面を摺動するヘッド部２３、２４を左右両端に有しており、両ヘッド部２３、２４間にラック２５（図３参照）が形成され、該ラック２５に回転軸３のピニオンギア２２が螺合している。左側のヘッド部２３の中心部分には貫通孔２３Ａが形成されており、右側のヘッド部２４の中心部分にも貫通孔２４Ａが形成されている。ピストン１３は両ヘッド部２３、２４間に空洞部１３Ａを有しており、空洞部１３Ａは右側のヘッド部２４の貫通孔２４Ａを介して、第１油室１４と連通している。また、左側のヘッド部２３はその中心部分から背面壁５側にオフセットした位置に空洞部１３Ａと連通する貫通孔２３Ｂを備えており、この貫通孔２３Ｂには逆止弁２６が設けられている（図３参照）。開扉動作時には回転軸３の回転動作がピストン１３の直線動作に変換され、ピストン１３は図３の右側に移動するが、その時には逆止弁２６の弁体であるボールが油圧によって押されて左側に移動して弁を開き、作動油は貫通孔２３Ｂを挿通できる。その一方、ピストン１３が図３の左側に移動する閉扉動作時には、逆止弁２６のボールが油圧によって右側に押されて貫通孔２３Ｂを閉じるので、作動油は貫通孔２３Ｂを挿通できない。
【００１９】
ハウジング２の左側面壁８には嵌着孔８Ａが形成されており、エンドプラグ２７がこの嵌着孔８Ａに嵌着されることにより、ハウジング２に取り付けられている。エンドプラグ２７は、略円柱状の基部２７Ａと、該基部２７Ａから右側に向けて延出する円柱状の延出部２７Ｂとにより構成されている。エンドプラグ２７の基部２７Ａの右側には溝が形成されており、この溝内にＯリング２８とバックアップリング２９が配置されることにより、エンドプラグ２７と嵌着孔８Ａの隙間から作動油が外部に漏れることが防止されている。また、エンドプラグ２７の基部２７Ａの左側における上下の位置には、図２の前後方向に延びるノックピン３０、３０が嵌入されており、エンドプラグ２７が嵌着孔８Ａから外れることが防止されている。エンドプラグ２７の延出部２７Ｂはピストン１３の左側のヘッド部２３に形成された貫通孔２３Ａを挿通しており、扉１０４の全閉状態においては延出部２７Ｂの先端（右端）はピストン１３の空洞部１３Ａ内に位置している。延出部２７Ｂの外周面は、左側のヘッド部２３に形成された貫通孔２３Ａの内周面と摺接しており、貫通孔２３Ａのシール性が確保されている。開扉動作時にはピストン１３が図２及び図３の右側に移動するが、その時にピストン１３の左側のヘッド部２３はエンドプラグ２７の延出部２７Ｂに案内されて摺動する。
【００２０】
エンドプラグ２７の延出部２７Ｂには流量制御流路が形成されている。流量制御流路は、第１速度調整弁３１により作動油の流量を調整される第１流路３２と、第２速度調整弁３３により作動油の流量が調整される第２流路３４とにより構成されている。第１流路３２は、延出部２７Ｂの先端面において開口し、扉１０４の全閉状態においてはピストン１３の空洞部１３Ａと連通する孔３２Ａと、延出部２７Ｂの外周面において開口し、扉１０４の全開状態においては第２の油室と連通する孔３２Ｂとを備えている。第２流路３４は、延出部２７Ｂの外周面において開口し、扉１０４の全閉状態においてはピストン１３の空洞部１３Ａと連通する孔３４Ａと、延出部２７Ｂの外周面において開口し、扉１０４の全開状態においては第２の油室１５と連通する孔３４Ｂとを備えている。エンドプラグ２７の基部２７Ａ側において開口するネジ孔内には第１速度調整弁３１が螺合設置されており、その弁先３１Ａは第１流路３２内に位置している。また、エンドプラグ２７の基部２７Ａ側において開口するネジ孔内には第２速度調整弁３３が螺合設置されており、その弁先３３Ａは第２流路３４内に位置している。従って、第１速度調整弁３１を回転操作することにより第１流路３２を流れる作動油の流量を調整することができ、第２速度調整弁３３を回転操作することにより第２流路３４を流れる作動油の流量を調整することができるようになっている。
【００２１】
図１に示すように、ドアクローザ本体１は、扉１０４に固定された取付板３５を介して扉１０４に設置されている。取付板３５は、水平方向（横方向）に長い横長の基部３６を備え、この基部３６には４つのネジ挿通孔３６Ａが設けられている。取付板３５は、ネジ（図示せず）をネジ挿通孔３６Ａに挿通することにより扉１０４に固定されている。基部３６の左側にはフック部３６Ｂが形成されており、ハウジング２の後面壁５から溝部１０内に突出するように形成されたフック係合部５Ａと係合している。基部３６の上縁と下縁には前方向に向けて突出する上部壁３７と下部壁３８とが形成されており、上部壁３７は上面壁６の内側面６Ａと対向し、下部壁３８は下面壁７の内側面７Ａと対向している。上部壁３７の右端にはその他の部分よりも突出する長さが大きいネジ取付部３７Ａが形成されており、このネジ取付部３７Ａにネジ孔３７Ｂが設けられている。ハウジング２の上面壁６の右側には図示せぬネジ挿通孔が設けられ、このネジ挿通孔を挿通させた図示せぬネジをネジ孔３７Ｂに螺合することで、ハウジング２の上面壁６が取付板３５に固定されるようになっている。同様に、下部壁３８の右端にはその他の部分よりも突出する長さが大きくなるネジ取付部３８Ａが形成されており、このネジ取付部３８Ａにはネジ孔３８Ｂが設けられている。ハウジング２の下面壁７の右側には図示せぬネジ挿通孔が設けられ、このネジ挿通孔を挿通させた図示せぬネジをネジ孔３８Ｂに螺合することで、ハウジング２の下面壁６が取付板３５に固定されるようになっている。なお、ネジ孔３７Ｂ，３８Ｂに螺合されるネジが本発明の固定部材に相当する。
【００２２】
本実施形態のドアクローザを扉１０４に設置する際には、先ず、ハウジング２の溝部１０内に取付板３５の上部壁３７と下部壁３８とが収容されるように、扉１０４に固定されている取付板３５に対してハウジング２を位置合わせする。次に、ハウジング２を取付板３５に対して摺動させ水平方向に移動することで、取付板３５の基部３６に設けられているフック部３６Ｂをハウジング２の背面壁５に形成されているフック係合部５Ａに係合させる。そして、ネジ取付部３７Ａのネジ孔３７Ｂを用いてハウジング２の上面壁６を不図示のネジで取付板３５に固定し、ネジ取付部３８Ａのネジ孔３８Ｂを用いてハウジング２の下面壁７を不図示のネジで取付板３５に固定する。
【００２３】
本実施形態のドアクローザによれば、ハウジング２を水平方向に移動させてフック部３６Ｂとフック係合部５Ａを係合させ、ハウジング２の上面壁６と下面壁７とをネジで取付板３５に固定するので、ドアクローザを扉１０４に迅速かつ容易に取り付けることができる。
【００２４】
また、本実施形態のドアクローザによれば、ハウジング２の上面壁６と下面壁７とがネジにより取付板３５に固定されるので、ハウジングの正面壁４にはネジが位置することがなく、ネジを隠すためにカバー等を正面壁４に設ける必要がない。
【００２５】
以上、本発明の一実施形態のドアクローザについて説明したが、本発明の技術的範囲は上記実施形態に記載の範囲には限定されない。上記実施形態には、多様な変更又は改良を加えることが可能である。
【００２６】
例えば、上記実施形態では、ハウジング２の上面壁６と下面壁７とがネジで取付板３５に固定されていたが、上面壁６と下面壁７の少なくとも一方が何らかの固定部材により取付板３５に固定されていればよい。
【符号の説明】
【００２７】
１  ドアクローザ本体、２  ハウジング、２Ａ  密閉空間、３  回転軸、４  正面壁、５  背面壁、５Ａ  フック係合部、６  上面壁、６Ａ  内側面、７  下面壁、７Ａ  内側面、８  左側面壁、８Ａ  嵌着孔、９  右側面壁、９Ａ  嵌着孔、１０  溝部、１１  上キャップ、１２  下キャップ、１３  ピストン、１３Ａ  空洞部、１４  第１油室、１５  リンク機構、１６  エンドプラグ、１７  大径のコイルバネ、１８  小径のコイルバネ、１９  Ｏリング、２０  バックアップリング、２１  ノックピン、２２  ピニオンギア、２３  左側のヘッド部、２３Ａ  貫通孔、２３Ｂ  貫通孔、２４  右側のヘッド部、２４Ａ  貫通孔、２５  ラック、２６  逆止弁、２７  エンドプラグ、２７Ａ  基部、２７Ｂ  延出部、２８  Ｏリング、２９  バックアップリング、３０  ノックピン、３１  第１速度調整弁、３１Ａ  弁先、３２  第１流路、３３  第２速度調整弁、３３Ａ  弁先、３４  第２流路、３５  取付板、３６  基部、３６Ａ  ネジ挿通孔、３６Ｂ  フック部、３７  上部壁、３７Ａ  ネジ取付部、３７Ｂ  ネジ孔  ３８  下部壁、３８Ａ  ネジ取付部、３８Ｂ  ネジ孔
【図１】
2015108229.tif 000003
【図２】
2015108229.tif 000004
【図３】
2015108229.tif 000005
【図４】
2015108229.tif 000006
【図５】
2015108229.tif 000007